(57)【要約】【課題】  従来のお玉置きは、任意の場所におかれたお玉置きに、お玉を置くという型が多く、汁がたれやすかった。また、いずれの型も洗う手間がかかったし、収納場所に困っていた。そして、食器として使用できても味見用ぐらいしか使用できず、調理用器としては使用できなかった。【解決手段】  お玉の頭部を受け入れることができるように形成されたお玉受け本体に、お玉を立て掛けた状態で、保持させることができるように係止部を設け、お玉受け本体の上周縁にはし置き部を設け、側面に凹所を設けている。係止部と一体化させた取っ手も設けている。これにより、はしのころがりを止め、お玉のところにもう一方の手で、お玉を受け入れにいきやすくなり、汁がたれない。汚れも見えており洗い易い。不使用時は食器棚に重ね置きもできるので、場所を取らずに収納できるし、調理用器としても菜ばし置きも備え便利に使用できる。【選択図】  図１２
2005160988.tif 000002
【特許請求の範囲】
【請求項１】
お玉の頭部を受け入れることができるように形成されたお玉受け本体と、お玉の頭部先端を係止する係止部を設けたお玉置き器。
【請求項２】
請求項１記載のお玉置き器の上周縁に、はし置き部を設け、該お玉置き器の側面に凹所を設けたはし置きつきお玉置き器。
【発明の詳細な説明】
【技術分野】
【０００１】  本発明は調理中のお玉、菜ばしを、一時的に安定保持し、調理用器、食器としても使用でき、食器棚へも場所をとらずに収納できることを図った、お玉置きに関する。
【背景技術】
【０００２】  従来のお玉置き器には、皿状容器の上周縁の適宜箇所に、内方に係止部を設け、お玉の先端を引っかけて保持させ、外方に突出部を設けて、はしのころがりを防いでいるものがある（特許文献１）。
また、任意の容器の上周縁に、お玉の柄を支える部品と洗濯バサミとが一体になっているものを、取りつけるものもある（特許文献２）。
【特許文献１】    実開昭５５−７７４８１号  公報
【特許文献２】    実開平０６−７６３９号  公報
【発明の開示】
【発明が解決しようとする課題】
【０００３】  以上に述べた従来のお玉置きで、任意の場所に置かれたお玉置をめがけて、お玉を置くという型では、汁がたれやすかった。また、いずれの型も使用後の洗う手間がかかり、不使用時は収納の難しいものや、重ね置きもできず、場所を取ったりした。そしてお玉置き以外の使用には味見用の食器ぐらいにしか、使用できなかった。【０００４】  本発明は、このような従来の構成が有していた問題を解決しようとするものであり、汁がたれる心配がなく、洗う手間もかからない。不使用時は食器棚へ重ね置きができるので場所を取らずに収納できるし、食器、調理用器としても使用ができる。菜ばし置きも備えて、多用途なお玉置き器を実現することを目的とするものである。
【課題を解決するための手段】
【０００５】  そして、本発明は上記目的を達成するために、お玉の頭部を受け入れることができるように形成されたお玉受け本体と、お玉の頭部先端を係止し、立て掛けた状態に保持可能なように形成された係止部を、取っ手の先端に取りつけ一体化させて、その係止部つき取っ手を、前記お玉受け本体の内側面から外側面にむけて設けたものである。【０００６】  また、第２の課題解決手段は、お玉受け本体の上周縁に、はし置き部として広幅の凹状部を設け、その中心に上記で記した係止部つき取っ手を、上記で記したように設け、該取っ手の相対面に凹所を設けたものである。【０００７】  上記第１の課題解決手段による作用は次の通りである。すなわち、お玉をお玉置きに、一時的に保持させるという行為において、取っ手を設けているので、調理中のお鍋の上で持ち上げられているお玉に、もう一方の手でお玉置きをそえて受け入れることができるので、汁がたれない。受け入れたままの状態で、係止しながら任意の場所に、置くことができる。係止部と取っ手を一体化させて、構造を簡単にしているので、洗う手間がかからない。不使用時は他の食器と重ねて食器棚へ収納もできるし、卵の割りほぐし、合わせ調味料作り、片栗粉の水どき等の調理用器として使用できる。また、スープカップ、納豆用等の、食器として使用しても、違和感を感じずに使用できる。【０００８】  また、第２の課題解決手段による作用は、調理用器として使用したとき、例えば、玉子を割りほぐしたとき等、調理中の菜ばし置き場は、適当な所がなく、器や皿の上に置くことが多いが、ときとしてころがり落ちて、はしと調理台上を汚していた。そこで、お玉受け本体の上周縁に、はし置き部として広幅の凹状部を設け、その凹状部の中心に取っ手を設けてる。それによりはしのころがりを防いでいる。また、取っ手の相対面に、凹所を設けたことにより、立て掛けた状態で係止しているお玉の柄の一部を、受け入れる形となって、お玉の柄を支え、安定度を高めている。そのことで、置き場所を変えるときも、片手での移動を可能にしている。また、調理用器として使用するときは、そそぎ口ともなる。
【発明の効果】
【０００９】  上述したように本発明のお玉置き器は、汁がたれず、汚れている箇所が見えているので洗う手間もかからず、清潔に保てる。不使用時は食器棚にも重ね置きができるので、場所を取らずに収納できるし、食器、調理用器としても使用できる。【００１０】  また、上記に加えて、置き場所の移動も片手で可能となり、菜ばし置きとしても使用できる。調理用器として使用するときにも、菜ばし置き、そそぎ口を備えて、多用途な効果を持つものである。
【発明を実施するための最良の形態】
【００１１】  図１で示す通り、お玉受け本体は径１１センチ弱程で、深さは５センチ程の碗形とし、上周縁は受け入れやすさ感を感じさせられるように、やや広がりを持たせる。底部外周縁は、安定性とデザイン性を考慮した高さとする。取っ手の先端には、お玉を立て掛けた状態で保持するために、お玉の先端を引っかける係止部を設けて一体化させ、該取っ手をお玉受け本体の内側面から外側面に設けている。取っ手はお玉を係止させたとき、お玉がお玉の柄の方向に転倒しないようにするための重りも兼ねている。先端の係止部はお玉受け本体の内側に１センチ弱突き出ていれば十分で、横幅は２センチ程度あればよい。【００１２】  図２においては、菜ばし置きとして、お玉受け本体の上周縁に広幅の凹状部を設けて、その凹状部の中心に上記取っ手を、上記のごとくに設けている。凹状部は回りの上周縁よりやや低くなっている程度で、２本並べ置かれた菜ばしが、上記取っ手とでころがりを防ぐ程の差があればよい。または、菜ばしを２本並べて置いたとき、自然に取っ手寄りにころがり止まる程の勾配をつける方法もよい。凹状部の広がり幅はお玉受け本体の、上周縁の３分の一弱あればよい。また、お玉受け本体の側面に、上記取っ手と相対向に凹所を設けている。これは、お玉受け本体にお玉を立て掛け係止させたとき、お玉の柄とお玉受け本体とが接触するあたりから設ける。お玉の柄の横振れを防いでしっかり支えて、安定度を高め、そそぎ口ともなるように形成する。【００１３】  材料としては、プラスチック、金属、ガラス、陶等任意であるが、食器、調理用器として使用するので陶製が好ましい。いずれの材料を使用するにしても、お玉を立て掛けた状態で係止させたとき、転倒しないだけの重さに形成される。
【実施例１】
【００１４】  図１は本発明の実施例で、お玉置き器を示す斜視図である。１はお玉受け本体であり、２はお玉を立て掛けた状態で保持させるために、お玉の頭部先端を係止させるための係止部である。３は取っ手であるが先端に２の係止部を取り付けて一体化させている。その取っ手３をお玉受け本体１の内側面から外側面にかけて設けている。
【実施例２】
【００１５】  図２は本発明の実施例で、はし置きつきお玉置き器の斜視図である。４ははし置き部で実施例２のお玉受け本体の上周縁に、広幅の凹状部を設け、その中心に実施例１の取っ手３を設けて、菜ばしを置いたときのころがりを防いでいる。５は凹所でお玉受け本体の側面に、上記取っ手３と相対向に設けている。お玉を係止したときのお玉の柄の横振れを防いで、安定度を高めている。調理用器に使用したときはそそぎ口ともなる。
【実施例３】
【００１６】  図３は本発明の別実施例で、実施例１のお玉受け本体１に、図のように係止部と取っ手を一体化させない形で設けている。
【実施例４】
【００１７】  図４は本発明の別実施例で、実施例２の本発明のはし置きつきお玉置き器の、取っ手を鉤型にし、凹所をはぶいている。実施例２の場合は、調理用器として使用するにはいいが食器として使用するには、凹所はない方がよく、調理用器と食器の両用を図っている。
【実施例５】
【００１８】  図５は本発明の別実施例で、実施例２のお玉受け本体に取っ手と係止部を一体化させないで設け、係止部と相対向に図のように凹所を設けている。取っ手はなくてもよい。お玉置き、調理用器として使用できる。
【実施例６】
【００１９】  図６は本発明の別実施例で、お玉受け本体の径は９．５センチ程で、深さは３センチ弱程の小鉢状形で、その上周縁に縦２センチ程、横１．５センチ程、厚さ１センチ弱程の係止部を、図のように載付している。
【実施例７】
【００２０】  図７は本発明の別実施例で、実施例６のお玉受け本体の上周縁に、はし置き部として広幅の凹状部を設け、その凹状部の中心に実施例６と同様の係止部を設けている。はし置きつきお玉置きとして、はし置きつき小鉢として、食卓で便利に使用できる。
【実施例８】
【００２１】  図８は本発明の実施例２の別実施例で、図のように係止部と取っ手を一体化させない形で設けているが、取っ手ははし置き部より高くなるように設けて、はしのころがりを防いでいる。
【実施例９】
【００２２】  図９は本発明の実施例２の別実施例で、図のように取っ手を設けない形で、はし置き部の中央部に、例えば星形、花形、ハート形の飾りを付けることで、はしのころがりを防いでいる。
【実施例１０】
【００２３】  図１０は本発明の実施例１の別実施例で、お玉受け本体１に係止部を設けている。お玉を受け入れにいきにくい点はあるが、茶碗に取っ手がないのと同じで、何ら差しつかえない。底縁の外周を大きくして安定度を高める。
【実施例１１】
【００２４】  図１１は本発明の別実施例で、実施例１のお玉受け本体１の適宜箇所から、立ち上げた部所をそのまま図のように取っ手とし、お玉受け本体部分に係止部を設けている。
【図面の簡単な説明】
【００２５】
【図１】  本発明の実施例１を示す斜視図
【図２】  本発明の実施例２を示す斜視図
【図３】  別実施例である実施例３を示す斜視図
【図４】  同実施例４を示す斜視図
【図５】  同実施例５を示す斜視図
【図６】  同実施例６を示す斜視図
【図７】  同実施例７を示す斜視図
【図８】  同実施例８を示す斜視図
【図９】  同実施例９を示す斜視図
【図１０】  同実施例１０を示す斜視図
【図１１】  同実施例１１を示す斜視図
【図１２】  本発明の実施例２の使用状態を示す斜視図
【符号の説明】
【００２６】  １  お玉受け本体
２  係止部
３  取っ手
４  はし置き部
５  凹所
【図１】
2005160988.tif 000003
【図２】
2005160988.tif 000004
【図３】
2005160988.tif 000005
【図４】
2005160988.tif 000006
【図５】
2005160988.tif 000007
【図６】
2005160988.tif 000008
【図７】
2005160988.tif 000009
【図８】
2005160988.tif 000010
【図９】
2005160988.tif 000011
【図１０】
2005160988.tif 000012
【図１１】
2005160988.tif 000013
【図１２】
2005160988.tif 000014